(57)【要約】【課題】  簡単な構成で射出光の光量をモニタすることができる光源装置を提供する。【解決手段】  本発明の光源装置１００は、一対の電極１２１，１２２の間に活性層１２３を有してなるＬＥＤチップ１０４と、前記ＬＥＤチップ１０４を駆動する駆動手段とを備えている。ＬＥＤチップ１０４は、面内分割されたそれぞれの活性層１２３ａ，１２３ｂを含む複数の素子１００ａ，１００ｂを備えており、前記駆動手段は、これらの素子１００ａ，１００ｂのうち所定の素子１００ａを発光させるとともに、前記所定の素子１００ａから発光した光の一部を受けて発光を行なわない他の素子１００ｂに励起された電荷量をモニタし、モニタした前記電荷量に基づいて前記所定の素子１００ａの発光量を制御する。【選択図】    図２
2006054352.tif 000002
【特許請求の範囲】
【請求項１】
一対の電極間に活性層を有してなるＬＥＤチップと、前記ＬＥＤチップを駆動する駆動手段とを備えた光源装置であって、
前記ＬＥＤチップが、面内分割されたそれぞれの活性層を含む複数の素子を備えており、前記駆動手段がこれらの素子のうち所定の素子を発光させるとともに、前記所定の素子から発光した光の一部を受けて発光を行なわない他の素子の活性層内に励起された電荷量をモニタし、モニタした前記電荷量に基づいて前記所定の素子の発光量を制御することを特徴とする、光源装置。
【請求項２】
前記複数の素子のうち少なくとも１つの素子が、他の素子から発光した光をモニタするためのモニタ専用の素子として形成されていることを特徴とする、請求項１記載の光源装置。
【請求項３】
前記モニタ専用の素子に備えられる活性層が、略矩形の活性層の角部を分割して形成されたものであることを特徴とする、請求項２記載の光源装置。
【請求項４】
前記モニタ専用の素子に備えられる活性層が、略矩形の活性層の外周部分を分割して形成されたものであることを特徴とする、請求項２記載の光源装置。
【請求項５】
前記駆動手段が、前記複数の素子を時分割で交互に発光させるとともに、発光を行なう素子からの光の一部を受けて発光を行なわない他の素子の活性層内に励起された電荷量をモニタし、モニタした前記電荷量に基づいて前記発光を行なう素子の発光量を制御することを特徴とする、請求項１記載の光源装置。
【請求項６】
請求項１〜５のいずれかの項に記載の光源装置を備えたことを特徴とする、プロジェクタ。
【請求項７】
請求項１〜５のいずれかの項に記載の光源装置を備えたことを特徴とする、電子機器。
【発明の詳細な説明】
【技術分野】
【０００１】
本発明は、光源装置と、この光源装置を備えたプロジェクタ及び電子機器に関する。
【背景技術】
【０００２】
一般にレーザダイオード（ＬＤ）の駆動においては、出力を一定に保つ、或いは高速の揺らぎを補正して光量変動ノイズを除去する目的で、ＡＰＣ制御（オート・パワー・コントロール）が用いられる。これはモニタ用のフォトダイオード（ＰＤ）の出力をＬＤの駆動回路にフィードバックする構成となっている（特許文献１〜７参照）。
ところで、以上はレーザ光源に関する技術であったが、近年のＬＥＤの出力向上により、これを用いた光書き込み装置（プリンタヘッド等）らライン光源（スキャナ光源等）が実現されている（特許文献８，９参照）。これらのアプリケーションにおいては、アレイを構成する各ＬＥＤの光量を高精度に均一化する必要がある。よって、こうしたＬＥＤ光源においては、モニタ用のＰＤを各ＬＥＤの近傍に配した構成となっている。
一方、ＬＥＤを光源に用いたプロジェクタが開発されつつある。光量確保のためにやはりＬＥＤはアレイ化されるが、前記のライン光源同様、むらの除去のためにはアレイを構成する各ＬＥＤの光量を高精度に均一化する構成が望ましい。また、さらに動的な光源変調（電流制御）ができればフリッカの除去等が可能となり、高画質化に貢献する。或いは、発熱や経時変化等になるＬＥＤ駆動回路の暴走、過電流等によるＬＥＤの破壊を防止し、安定動作をさせることができる。そこで、プロジェクタ用のＬＥＤアレイ光源においても、むらを検知するモニタ手段、できれば個々のＬＥＤの出力モニタが可能な構成が求められていた。それを実現する構成として。ＬＥＤの射出側光路中に複数のモニタＰＤを設置するものがあった。
【特許文献１】特開平６−３３４２６９号公報
【特許文献２】特開平８−２３６８７３号公報
【特許文献３】特開平１１−３０７８７０号公報
【特許文献４】特開平５−２５１８２８号公報
【特許文献５】特開平６−１４０６２１号公報
【特許文献６】特開昭６２−１９５１９１号公報
【特許文献７】特開平６−６９６００号公報
【特許文献８】特開平７−１３２６４９号公報
【特許文献９】特開平８−２３６７４６号公報
【発明の開示】
【発明が解決しようとする課題】
【０００３】
しかし、前記の構成では余分なスペースを要するため、光学系の小型化や光源発光部の高密度化を妨げてしまう他、射出光の一部をモニタに用いるため、射出光の損失をもたらす場合があった。また、特許文献１，２に示したＬＤと同様に、ＬＥＤとＰＤを別チップとして製造し、単に同一パッケージ内に収める構成とすると、製造に配線や実装等の多くの工程を必要とし、コストアップを招く他、アライメントのばらつきも大きかった。アライメントのばらつきはモニタ光量のばらつきとなるため、それを回路側で吸収する必要があるが、アレイ化する数が増えると、個々に調整するためにさらに複雑な構成が必要となる。
本発明はこのような事情に鑑みてなされたものであり、その目的は、より簡単な構成で射出光の光量をモニタすることができる光源装置、並びに、この光源装置を備えた小型且つ光量変動の少ないプロジェクタ及び電子機器を提供することにある。
【課題を解決するための手段】
【０００４】
上記の課題を解決するため、本発明の光源装置は、一対の電極間に活性層を有してなるＬＥＤチップと、前記ＬＥＤチップを駆動する駆動手段とを備えた光源装置であって、前記ＬＥＤチップが、面内分割されたそれぞれの活性層を含む複数の素子を備えており、前記駆動手段がこれらの素子のうち所定の素子を発光させるとともに、前記所定の素子から発光した光の一部を受けて発光を行なわない他の素子の活性層内に励起された電荷量をモニタし、モニタした前記電荷量に基づいて前記所定の素子の発光量を制御することを特徴とする。
ＬＥＤのように活性層内に電荷を注入し、この電荷の再結合によって発光を行なう光源装置では、逆に活性層に光を当てることによって、その光量に応じた電荷を取り出すことが可能である。本発明はこのような特性に着目し、１チップ内に形成した発光素子の一部をモニタ用として使用することによって、光源装置自体に自身の発光量をモニタするためのモニタ機能を付与している。本発明では、面内分割した活性層の一部をモニタ領域として利用し、このモニタ領域によって、チップ内を伝播した光又はパッケージ内で反射若しくは散乱された発光光の一部を捕らえるため、別途モニタ用の素子（フォトダイオード等）を設ける場合に比べて、構成が単純で低コストとなる。また、周辺光や基板内伝播光を利用してフィードバック制御を行なうため、光路中にモニタ用の他の素子を設置する場合に比べて光量損失を少なくすることができる。
【０００５】
本発明の光源装置においては、前記複数の素子のうち少なくとも１つの素子が、他の素子から発光した光をモニタするためのモニタ専用の素子として形成されているものとすることができる。
この光源装置によれば、モニタ用の素子を固定しているので、これらの素子を駆動するための駆動手段の構成や制御を単純化することができる。なお、この光源装置においては、前記モニタ専用の素子に備えられる活性層が、略矩形の活性層の角部若しくは外周部分を分割して形成されたものとすることができる。外周部分をモニタ用として利用した場合には、周辺光を含めたより多くの領域をモニタすることができる。
【０００６】
本発明の光源装置においては、前記駆動手段が、前記複数の素子を時分割で交互に発光させるとともに、発光を行なう素子からの光の一部を受けて発光を行なわない他の素子の活性層内に励起された電荷量をモニタし、モニタした前記電荷量に基づいて前記発光を行なう素子の発光量を制御するものとすることができる。
この光源装置によれば、活性層を分割して形成した複数の素子をそれぞれ発光用とモニタ用に交互に切り換えて使用するため、チップ内に発光に寄与しない無駄な領域を設ける必要がなくなる。このため、例えばモニタ用の素子を固定的に設ける前述の構成に比べて、発光量を実質的に向上することができる。
【０００７】
本発明のプロジェクタは前述した本発明の光源装置を備えたことを特徴とする。また、本発明の電子機器は前述した本発明の光源装置を備えたことを特徴とする。
これにより、小型且つ光量変動の少ないプロジェクタ並びに電子機器を提供することができる。また、前述の光源装置をアレイ状に配置した場合には、光源装置毎の光量ばらつきを少なくすることができるので、均一な照明が可能となる。
【発明を実施するための最良の形態】
【０００８】
以下、本発明の実施の形態について説明する。
［第１の実施の形態］
図１は本発明の第１の実施形態に係るプロジェクタの概略構成を示す図である。本実施形態のプロジェクタ１は、Ｒ（赤）、Ｇ（緑）、Ｂ（青）の異なる色毎に透過型液晶ライトバルブを備えた３板式のカラー液晶プロジェクタである。図中、符号１０は光源部、２０は光学構成部、３０は投射部、４０はスクリーンをそれぞれ示している。
【０００９】
本実施形態の光源部１０は、赤色光（Ｒ），緑色光（Ｇ），青色光（Ｂ）をそれぞれ射出する３つの光源１０Ｒ，１０Ｇ，１０Ｂを備えている。光源１０Ｒ，１０Ｇ，１０Ｂは発光源としてそれぞれ発光ダイオード（ＬＥＤ）１００Ｒ，１００Ｇ，１００Ｂを備えている。各光源１０Ｒ，１０Ｇ，１０Ｂはそれぞれ１個のＬＥＤで構成してもよいし、複数のＬＥＤをアレイ状に配置して構成してもよい。本実施形態では光源１０Ｒ，１０Ｇ，１０Ｂをそれぞれ複数のＬＥＤで構成している。光学構成部２０は、光源部１０から射出された赤色光（Ｒ），緑色光（Ｇ），青色光（Ｂ）をそれぞれ変調するライトバルブ２１と、変調された各色光を１つのカラー画像として合成するダイクロイックプリズム２２とを備えている。本実施形態においてライトバルブ２１は、赤色光を変調する赤色用ライトバルブ２１Ｒと、緑色光を変調する緑色用ライトバルブ２１Ｇと、青色光を変調する青色用ライトバルブ２１Ｂとからなる。ライトバルブ２１は画像の元になる画像データを制御する機能を有すると共に、各色光を変調する機能を有している。ダイクロイックプリズム２２は４つの直角プリズムを貼り合わせて形成されたものであり、その直角プリズムの貼り合わせ面には赤色光を反射する誘電体多層膜と青色光を反射する誘電体多層膜とが十字状に形成されている。
【００１０】
このプロジェクタ１においては、まず、光源部１０を構成する３つの光源１０Ｒ，１０Ｇ，１０Ｂから射出された各色の光は、それぞれ対応するライトバルブ２１Ｒ，２１Ｇ，２１Ｂによって変調される。変調された各色の光はダイクロイックプリズム２２に入射され、ダイクロイックプリズム２２の内面に形成された誘電体多層膜によって合成され、カラー画像を表す光が形成される。合成された光は投射光学系である投射部３０の各投射レンズ３２によってスクリーン４０上に投射され、拡大された画像が表示される。
【００１１】
次に、図２を用いて光源部１０を構成するＬＥＤ（光源装置）の構成について詳しく説明する。図２（ａ）は各光源１０Ｒ，１０Ｇ，１０Ｂの発光源であるＬＥＤ（光源装置）１００の概略構成を示す模式図であり、図２（ｂ）はその要部を拡大して示す模式図である。なお、ＬＥＤ１００Ｒ，１００Ｇ，１００Ｂは同様の構造を有するため、それらを代表してＬＥＤ１００として示している。以下の説明では緑色用のＬＥＤ１００Ｇを例に挙げて説明する。
【００１２】
図２に示すように、ＬＥＤ１００は、ＬＥＤパッケージ１０１、ＬＥＤパッケージ１０１に実装されるＬＥＤチップ１０４、レンズキャップ１０７によって概略構成されている。ＬＥＤチップ１０４は例えばＩｎＧａＮ系混晶からなる活性層１２３をｎ型クラッド及びｐ型クラッド層によって挟んだダブルへテロ構造の半導体チップである。ＬＥＤチップ１０４には、ｐ型クラッド層と活性層１２３の一部をエッチングして形成したｎ型クラッド層の露出部を備えており、この露出部には入出力端子であるｎ電極１２１が形成されている。また、ｐ型クラッド層の表面にはｐ電極１２２が形成されており、これらの電極１２１，１２２がはそれぞれハンダバンプ１３０等の導電性材料によってサブマウント基板１０３の電極ランド１１１に接続されている。
【００１３】
電極ランド１１１は例えば金線のボンディングワイヤ１０５ａ，１０５ｂによって、それぞれ支持基台１０１に取り付けられたリード基板１０６ａ，１０６ｂに接続されている。ＬＥＤパッケージ１０１は、支持基台１０１ａ、支持基台１０１ａの底部に設置された伝熱手段であるヒートシンク１０２、ヒートシンク１０２に固定されたシリコン製のサブマウント基板１０３によって概略構成されている。支持基台１０１ａは外形が直方体で、中央に支持基台表面から離れるに従って開口面積が広くなるようなテーパ状の凹部１０９が形成されている。前述のＬＥＤ１０４はこの凹部１０９の底面に配置されたサブマウント基板１０３に実装されている。支持基台１０１ａには熱伝導率が高いアルミニウム合金や銅合金等を使用することができる。この支持基台１０１ａの斜面部１０９ａ及び底部１０９ｂの表面には、ＬＥＤチップ１０４から射出される可視光を効率よく反射するために鏡面仕上げ若しくは細かい凹凸仕上げ（乱反射仕上げ）若しくは光の反射層を形成するメッキ等が施されている。支持基台１０１ａの上面には、レンズキャップ１０７が密着固定されており、これらレンズキャップ１０７と支持基台１０１ａの凹部１０９によって密閉された空間には屈折率調整用の透明充填材（シリコンジェル等）１０８が封入されている
【００１４】
ところで、本実施形態のＬＥＤチップ１０４は、活性層１２３が大面積の第１の活性層１２３ａと小面積の第２の活性層１２３ｂに面内分割されており、これに対応して、ｐ電極１２２も大面積の第１のｐ電極１２２ａと小面積の第２のｐ電極１２２ｂに面内分割されている。図３は活性層１２３とｐ電極１２２の平面形状を示す模式図である。図３に示すように、第２の活性層１２３ｂはチップの角部に１つ設けられており、第１の活性層１２３ａはこの角部を除く略全ての領域に設けられている。同様に、第２のｐ電極１２２ｂはチップの角部に１つ設けられており、第１のｐ電極１２２ａはこの角部を除く略全ての領域に設けられている。第１のｐ電極１２２ａと第１の活性層１２３ａ、第２のｐ電極１２２ｂと第２の活性層１２３ｂはそれぞれ略同じ位置に同じ形状でパターニングされている。一方、ｎ電極１２１は分割されずにチップ全体に設けられており、各ｐ電極１２２ａ，１２２ｂに共通の共通電極として機能する。第１のｐ電極１２２ａ，第１の活性層１２３ａ及びｎ電極１２１によって第１の素子１００ａが形成されており、第２のｐ電極１２２ｂ，第２の活性層１２３ｂ及びｎ電極１２１によって第２の素子１００ｂが形成されている。図２（ｂ）に示すように、第１の素子１００ａのｐ電極１２２ａと第２の素子１００ｂのｐ電極１２２ｂは、それぞれサブマウント基板１０３の電極ランド１１１ａと電極ランド１１１ｂに接続されている。また、これらの素子１００ａ，１００ｂのｎ電極１２１はサブマウント基板１０３の電極ランド１１１ｃに接続されている。電極ランド１１１ａ，１１１ｂ，１１１ｃは電気的に分離された状態にパターニングされており、第１の素子１００ａと第２の素子１００ｂは互いに独立に制御されるようになっている。
【００１５】
本実施形態において第１の素子１００ａは発光専用の素子（発光素子）として機能し、第２の素子１００ｂは第１の素子１００ａの発光光をモニタするためのモニタ専用の素子（モニタ素子）として機能する。図４に示すように、第１の素子１００ａと第２の素子１００ｂはそれぞれ駆動手段であるドライバ１１０の出力側と入力側に接続されており、ドライバ１１０は外部装置から入力される目標入力と、第２の素子１００ｂから入力される第１の素子１００ａの発光出力に関する情報に基づいて、第１の素子１００ａの駆動を制御するようになっている。例えば図４において、ドライバ１１０は第１の素子１００ａに対して目標入力に応じた駆動電流を供給する。それと同時に、第１の素子１００ａからの発光光の一部がパッケージ内の反射や散乱によって第２の素子１００ｂに入射し、この入射光によって第２の素子１００ｂの活性層内に励起された電荷をモニタする。或いは、第１の素子１００ａからの発光光の一部がチップ内を伝播して第２の素子１００ｂに入射し、この入射光によって第２の素子１００ｂの活性層内に励起された電荷量をモニタする。そして、このモニタした電荷量に基づいて、第１の素子１００ａに供給する電流量を調節する。これにより、射出される光量の変動を防ぐことができ、ＬＥＤ毎の光量のばらつきも防ぐことができる。
図５は駆動回路の一例を示す模式図である。
【００１６】
以上説明したように、本実施形態によれば、ＬＥＤチップ１０４に形成された活性層１２３とｐ電極１２２を面内分割し、一方を発光用、他方をモニタ用として使用しているため、別途モニタ用の素子（フォトダイオード等）を設ける場合に比べて、構成が単純で低コストとなる。また、周辺光や基板内伝播光を利用して第１の素子１００ａの駆動制御を行なうため、光路中にモニタ用の他の素子を設置する場合に比べて光量損失を少なくすることができる。また、ＬＥＤ１００毎の光量ばらつきを少なくすることができるので、このＬＥＤ１００をアレイ状に配置した各光源１０Ｒ，１０Ｇ，１０Ｂについてもばらつきの少ない均一な照明が可能となる。
【００１７】
［変形例］
次に、本実施形態の変形例について説明する。
図６は、本実施形態の活性層１２３とｐ電極１２２の平面形状を変形したものである。図６（ａ）は、チップの中央部に発光用の第１の活性層１２３ａと第１のｐ電極１２２ａを配置し、その外周部分にモニタ用の第２の活性層１２３ｂと第２のｐ電極１２２ｂを平面視コ字型の配置した構成を示している。また図６（ｂ）は、チップの中央部に発光用の第１の活性層１２３ａと第１のｐ電極１２２ａを配置し、その外周部分にモニタ用の第２の活性層１２３ｂと第２のｐ電極１２２ｂを開環状に配置した構成を示している。これらの構成によれば、周辺光を含めたより多くの領域をモニタすることができ、高精度な光量制御が可能となる。
【００１８】
［第２の実施の形態］
次に、本発明の第２の実施形態について説明する。図７はＬＥＤチップ４に形成された活性層とｐ電極の平面形状を示す模式図である。なお、本実施形態において前記第１の実施形態と同様の部材又は部位については同じ符号を付し、詳細な説明は省略する。
【００１９】
本実施形態において前記第１の実施形態と異なるのは、ＬＥＤチップ１０４の活性層を面内分割し、これらを時分割で交互に発光させる点と、非発光期間をモニタ用として使用し、発光とモニタとを交代で分担して行なうようにした点のみである。すなわち、本実施形態のＬＥＤチップ１０４は、活性層１２３が略同じ形状の４つの活性層１２３ｃに面内分割されており、これに対応して、ｐ電極１２２も４つのｐ電極１２２ｃに面内分割されている。ｐ電極１２２ｃと活性層１２３ｃは略同じ位置に同じ形状でパターニングされている。一方、ｎ電極１２１は分割されずにチップ全体に設けられており、各ｐ電極１２２ｃに共通の共通電極として機能する。ｐ電極１２２ｃ，活性層１２３ｃ及びｎ電極１２１によってそれぞれ発光用の素子（発光素子）１００ｃが形成されている。
【００２０】
図８は、ＬＥＤの機能的な構成を示すブロック図である。この図では、便宜的に、分割された４つの素子のうち２つのみを示しているが、他の素子についても同様である。本実施形態において、前述した４つの素子１００ｃは、発光用の素子として使用されると同時に、他の素子１００ｃの発光光をモニタするためのモニタ用の素子（モニタ素子）としても兼用されている。これらの４つの素子１００ｃは、それぞれドライバ１１０の出力側に配置された切り換え手段１５０に接続されており、切り換え手段１５０はドライバ１１０の駆動に同期して各素子１００ｃの発光と非発光（即ち、発光とモニタ）とを時分割で切り換えるようになっている。また、駆動手段であるドライバ１１０は外部装置から入力される目標入力と、切り換え手段１５０を介して非発光の素子１００ｃ（即ち、モニタとして使用されている素子１００ｃ）から入力された発光を行なう他の素子１００ｃの発光出力に関する情報に基づいて、当該他の素子１００ｃの駆動を制御するようになっている。例えば図８において、ドライバ１１０は発光を行なう所定の素子１００ｃに対して目標入力に応じた駆動電流を供給する。それと同時に、発光を行なう当該素子１００ｃからの発光光の一部がパッケージ内の反射や散乱によって発光を行なわない他の素子１００ｃ（即ち、モニタとして使用する他の素子１００ｃ）に入射し、この入射光によって当該他の素子１００ｃの活性層内に励起された電荷をモニタする。或いは、発光を行なう素子１００ｃからの発光光の一部がチップ内を伝播して発光を行なわない他の素子１００ｃ（即ち、モニタとして使用する他の素子１００ｃ）に入射し、この入射光によって当該他の素子１００ｃの活性層内に励起された電荷量をモニタする。そして、このモニタした電荷量に基づいて、発光を行なう素子１００ｃに供給する電流量を調節する。これにより、射出される光量の変動を防ぐことができ、ＬＥＤ毎の光量のばらつきも防ぐことができる。
図９は駆動回路の一例を示す模式図である。
【００２１】
以上説明したように、本実施形態によれば、ＬＥＤチップ１０４に形成された活性層１２３とｐ電極１２２を面内分割し、分割されたこれらの領域をそれぞれ発光用とモニタ用として交互に切り換えて使用するため、発光に寄与しない無駄な領域を設ける必要がなくなる（即ち、モニタ部である非発光部も併せてＬＥＤ１００の全面を発光部に寄与せしめることができる）。このため、例えばモニタ用の素子を固定的に設ける前記第１の実施形態の構成に比べて、発光量を実質的に向上することができる。また、ＬＥＤの定格が電力損失による発熱量で決定するとすれば、本構成において、前記のような時分割発光において電力損失が同等となる程度に発光期間（デューティ）に応じて駆動電流を増大させることにより、発光、非発光部を合わせた前面を定常的に発光せしめたのと同等の光量を得ることができる。
【００２２】
［電子機器］
次に、本発明の光源装置を備えた電子機器について説明する。
本実施形態では、このような電子機器の一例として、前述のＬＥＤをバックライトに備えた直視型の液晶表示装置について説明する。図１０はその液晶表示装置の構成を模式的に示す分解斜視図である。
図１０に示す液晶表示装置６８は、スイッチング素子に薄膜ダイオード（Thin Film Diode；以下、ＴＦＤと称する）を使用したアクティブマトリクス型の液晶表示装置６８である。なお、上記以外のアクティブマトリクス型の液晶表示装置やパッシブマトリクス型の液晶表示装置を本実施の形態に適用することも可能である。
【００２３】
図１０に示すように、液晶表示装置６８は、アレイ基板５４とこの基板に対向して配置されたカラーフィルタ基板６４とがシール材によって貼り合わされ、このシール材により区画された領域内に液晶（不図示）が封入、保持された構成となっている。そして、アレイ基板５４とカラーフィルタ基板６４の外側のそれぞれには、偏光板５２および偏光板６６が配置され、さらに偏光板５２の外側には、バックライト５０ａが配置されている。なお、この液晶にはネマチック液晶等が採用され、液晶表示装置６８の動作モードとしてツイステッドネマチック（ＴＮ）モードが採用されている。
【００２４】
アレイ基板５４に対向するカラーフィルタ基板６４側（内側）には、複数の走査線と複数のデータ線とがマトリクス状に交差して形成され、この走査線とデータ線との交点にはそれぞれスイッチング素子であるＴＦＤが形成されている。そして、このＴＦＤは画素電極に接続されている。このように、画素５６はスイッチング素子であるＴＦＤとこのＴＦＤに接続される画素電極とから構成されている。さらに１画素５６はカラーフィルタ基板６４に着色されるＲ（赤）、Ｇ（緑）、Ｂ（青）のそれぞれに対応して３つのサブ画素から構成されている。
【００２５】
そして、アレイ基板５４側の偏光板５２の外側には、バックライト５０ａが配置されている。図１１（ａ）は、本実施の形態におけるバックライト５０ａの概略構成を示す図であり、図１１（ｂ）は、図１１（ａ）のＢ−Ｂ線に沿った断面図である。
図１１（ａ）に示すように、バックライト５０ａは、本発明の光源装置であるＬＥＤ１３０と、このＬＥＤ１３０から射出される光を拡散する拡散シート３６と、拡散され入射した光を面発光させる面状導光板３２とを備えている。本実施の形態において、バックライト５０ａの光源として使用するＬＥＤ１３０は、Ｒ（赤）、Ｇ（緑）およびＢ（青）のＬＥＤが１つのパッケージに搭載され、これらの各色が発光することにより白色を発光するようになっている。これらのＬＥＤ１３０は、発光面を拡散シート３６および面状導光板３２側にして互いに隣接して一列に配置されている。
【００２６】
拡散シート３６は、例えばアクリル系樹脂から構成され、ＬＥＤ１３０の発光面側に配置されている。この拡散シート３６の断面形状は鋸歯状に形成され、ＬＥＤ１３０から射出された光を面状導光板３２の厚さ方向に散乱、拡散し、均一に面状導光板３２に光を射出するようになっている。なお、ＲＧＢ色ＬＥＤ１３０は、拡散シート３６に接触するように配置することも好ましい。
【００２７】
面状導光板３２は、ＬＥＤ１３０の発光面側に拡散シート３６を介して配置されている。この面状導光板３２は、例えば、透明なアクリル樹脂から構成され、ＬＥＤ１３０から射出された光が、面状導光板３２の側面から入射し、面状導光板３２内部のアクリル板によって全反射を繰り返して直進するようになっている。そして、面状導光板３２の下側の主面には、複数の溝が形成されている。この複数の溝は、面状導光板３２の下側の主面に微細傾斜面を複数設けることにより形成する。また、面状導光板３２に形成される溝は、面状導光板３２から均一に光を射出するために、ＬＥＤ１３０の入射端面に近い領域に形成される場合には粗く、遠い領域に形成される場合には密に形成されている。この溝によってＬＥＤ１３０から射出された光の入射角を変更させて、面状導光板３２から均一な光を射出することが可能となっている。
【００２８】
リフレクター３８は、ＬＥＤ１３０および拡散シート３６を覆うようにして形成されている。すなわち、リフレクター３８の断面はコの字状に形成され、この内側にはＬＥＤ１３０が配置されている。このような構造によってリフレクター３８は、光源であるＬＥＤ１３０から射出される光をリフレクター３８内部において反射させ、面状導光板３２の方向に導くことができる。
【００２９】
本実施形態の液晶表示装置６８は、前述した本発明のＬＥＤ１３０を照明装置として使用しているため、小型で且つ光量変動や光量のばらつきの少ない液晶表示装置となる。
なお、本実施形態では、電子機器の例として液晶表示装置を挙げたが、本発明の光源装置は、これ以外にも例えばプリンタのスキャンヘッド等への応用も可能である。
【００３０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００３１】
【図１】第１の実施形態に係るプロジェクタの構成を示す模式図。
【図２】同、プロジェクタの光源装置の構成を示す断面模式図。
【図３】同、光源装置の活性層等の平面形状を示す模式図。
【図４】同、光源装置の機能的な構成を示すブロック図。
【図５】同、駆動回路の一例を示す模式図。
【図６】同、活性層等の他の平面形状を示す模式図。
【図７】第２の実施形態に係る光源装置の活性層等の平面形状を示す模式図。
【図８】同、光源装置の機能的な構成を示すブロック図。
【図９】同、駆動回路の一例を示す模式図。
【図１０】本発明の光源装置をバックライトに備えた液晶表示装置を示す模式図。
【図１１】同、バックライトの構成を示す模式図。
【符号の説明】
【００３２】
１…プロジェクタ、６８…液晶表示装置、１００，１００Ｒ，１００Ｇ，１００Ｂ，１３０…ＬＥＤ（光源装置）、１００ａ，１００ｂ，１００ｃ…素子、１０４…ＬＥＤチップ、１１０…駆動手段、１２１…ｎ電極、１２２，１２２ａ，１２２ｂ，１２２ｃ…ｐ電極、１２３，１２３ａ，１２３ｂ，１２３ｃ…活性層
【図１】
2006054352.tif 000003
【図２】
2006054352.tif 000004
【図３】
2006054352.tif 000005
【図４】
2006054352.tif 000006
【図５】
2006054352.tif 000007
【図６】
2006054352.tif 000008
【図７】
2006054352.tif 000009
【図８】
2006054352.tif 000010
【図９】
2006054352.tif 000011
【図１０】
2006054352.tif 000012
【図１１】
2006054352.tif 000013